【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
再構成されたルマ残差値のブロック及び予測されたクロマ残差値のブロックを生成するためにビデオデータの第１のブロックを復号することと、ここにおいてビデオデータの前記第１のブロックは、４：２：０又は４：２：２クロマサブサンプリングフォーマットのうちの１つを有し、
前記再構成されたルマ残差値のサブセットを予測されたクロマ残差値の前記ブロックに関するルマ予測子として使用してビデオデータの前記第１のブロックに関するクロマ残差値のブロックを再構成するために色残差予測プロセスを実施することと、
ビデオデータの第２のブロックに関する変換単位サイズを決定することと、
ビデオデータの前記第２のブロックに関する決定された前記変換単位サイズが４×４以下であるときはビデオデータの前記第２のブロックに関する色残差予測を行わずにビデオデータの前記第２のブロックを復号することと、
ビデオデータの第３のブロックに関する変換単位サイズを決定することと、
ビデオデータの前記第３のブロックに関する決定された前記変換単位サイズが４×４よりも大きいときはビデオデータの前記第３のブロックに関する色残差予測を行うことによってビデオデータの前記第３のブロックを復号することと、を備える、方法。
【請求項２】
ビデオデータを復号するように構成された装置であって、
ビデオデータの第１のブロックに関連するビデオ情報を格納するように構成されたビデオデータメモリと、
再構成されたルマ残差値のブロック及び予測されたクロマ残差値のブロックを生成するためにビデオデータの前記第１のブロックを復号することと、ここにおいて、ビデオデータの前記第１のブロックは、４：２：０又は４：２：２クロマサブサンプリングフォーマットのうちの１つを有し、
前記再構成されたルマ残差値のサブセットを予測されたクロマ残差値の前記ブロックに関するルマ予測子として使用してビデオデータの前記第１のブロックに関するクロマ残差値のブロックを再構成するために色残差予測プロセスを実施することと、
ビデオデータの第２のブロックに関する変換単位サイズを決定することと、
ビデオデータの前記第２のブロックに関する決定された前記変換単位サイズが４×４以下であるときはビデオデータの前記第２のブロックに関する色残差予測を行わずにビデオデータの前記第２のブロックを復号することと、
ビデオデータの第３のブロックに関する変換単位サイズを決定することと、
ビデオデータの前記第３のブロックに関する決定された前記変換単位サイズが４×４よりも大きいときはビデオデータの前記第３のブロックに関する色残差予測を行うことによってビデオデータの前記第３のブロックを復号することとを行うように構成されたビデオデコーダと、を備える、装置。
【請求項３】
前記ビデオデコーダは、スケーリングされたルマ予測子を形成するために前記ルマ予測子をスケーリングし、及び、前記スケーリングされたルマ予測子に基づいて前記クロマ残差値を再構成することによって、前記色残差予測プロセスを実施するように更に構成される、
請求項２に記載の装置。
【請求項４】
前記ビデオデコーダは、前記予測されたクロマ残差値に前記スケーリングされたルマ予測子を加えることによって前記色残差予測プロセスを実施するように更に構成される、
請求項３に記載の装置。
【請求項５】
ビデオデータの前記第１のブロックは、４：２：２クロマサブサンプリングフォーマットを有し、
前記スケーリングされたルマ予測子は、前記予測されたクロマ残差値と同じ位置を有するスケーリングされた再構成されたルマ残差値を備え、
前記ビデオデコーダは、各々の対応する予測されたクロマ残差値に対応するスケーリングされたルマ予測子を加えることによって前記色残差予測プロセスを実施するように更に構成される、
請求項３に記載の装置。
【請求項６】
ビデオデータの前記第１のブロックは、４：２：２クロマサブサンプリングフォーマットを有し、
前記再構成されたルマ残差値の前記サブセットは、前記予測されたクロマ残差値と同じ位置を有する再構成されたルマ残差値と、前記予測されたクロマ残差値の直ぐ隣の位置を有する少なくとも１つのその他の再構成されたルマ残差値と、を備え、
前記ビデオデコーダは、
予測されたクロマ残差値の各位置毎に、平均化されたルマ予測子を形成するために対応する予測されたクロマ残差値と前記同じ位置を有するスケーリングされた再構成されたルマ値及び前記予測されたクロマ残差値の直ぐ隣の前記位置を有する前記少なくとも１つのその他のスケーリングされた再構成されたルマ残差値の平均を求め、及び、
各々の対応する予測されたクロマ残差値に対応する平均化されたルマ予測子を加えるように更に構成される、
請求項３に記載の装置。
【請求項７】
前記ビデオデコーダは、単純平均化又は加重平均化するように構成される、
請求項６に記載の装置。
【請求項８】
ビデオデータの前記第１のブロックは、４：２：２クロマサブサンプリングフォーマットを有し、
前記少なくとも１つのその他のスケーリングされた再構成されたルマ残差値は、前記予測されたクロマ残差値のうちの各々の直ぐ右の位置を有するスケーリングされた再構成されたルマ残差値を備える、
請求項６に記載の装置。
【請求項９】
ビデオデータの前記第１のブロックは、４：２：２クロマサブサンプリングフォーマットを有し、
前記少なくとも１つのその他のスケーリングされた再構成されたルマ残差値は、前記予測されたクロマ残差値のうちの各々の直ぐ隣の位置を有する８つのスケーリングされた再構成されたルマ残差値を備える、
請求項６に記載の装置。
【請求項１０】
ビデオデータの前記第１のブロックは、４：２：０クロマサブサンプリングフォーマットを有し、
前記スケーリングされたルマ予測子は、前記予測されたクロマ残差値の各々に隣接する位置を有する少なくとも１つのスケーリングされた再構成されたルマ残差値を備え、
前記ビデオデコーダは、各々の対応する予測されたクロマ残差値に対応するスケーリングされたルマ予測子を加えることによって前記色残差予測プロセスを実施するように更に構成される、
請求項３に記載の装置。
【請求項１１】
各々の予測されたクロマ残差値に関する前記スケーリングされたルマ予測子は、各クロマ残差値に隣接する単一のスケーリングされた再構成されたルマ値を備える、
請求項１０に記載の装置。
【請求項１２】
各々の予測されたクロマ残差値に関する前記スケーリングされたルマ予測子は、各クロマ残差値に隣接する２つ以上のスケーリングされた再構成されたルマ値を備え、前記ビデオデコーダは、前記２つ以上のスケーリングされた再構成されたルマ値の平均を求めることによって前記色残差予測プロセスを実施するように更に構成される、
請求項１０に記載の装置。
【請求項１３】
前記ビデオデコーダは、
ビデオデータの第４のブロックに関するルマコード化されたブロックフラグを復号することと、ここにおいて、ビデオデータの前記第４のブロックは、４：２：０、または４：２：２クロマサブサンプリングフォーマットのうちの１つを有し、
ビデオデータの前記第４のブロックがゼロでないルマ変換係数を有さないことを前記ルマコード化されたブロックフラグが示す場合はビデオデータの前記第４のブロックに関する色残差予測を行わないようにすることとを更に行うように構成される、
請求項２に記載の装置。
【請求項１４】
ビデオデータを符号化する方法であって、
再構成されたルマ残差値のブロック及びクロマ残差値のブロックを生成するためにビデオデータの第１のブロックを符号化することと、ここにおいてビデオデータの前記第１のブロックは、４：２：０又は４：２：２クロマサブサンプリングフォーマットのうちの１つを有し、
前記再構成されたルマ残差値のサブセットをクロマ残差値の前記ブロックに関するルマ予測子として使用してビデオデータの前記第１のブロックに関する予測されたクロマ残差値のブロックを形成するために色残差予測プロセスを実施することと、
ビデオデータの第２のブロックの変換単位サイズが４×４以下であることに起因して色残差予測を行わずに、４×４以下の前記変換単位サイズを有するビデオデータの前記第２のブロックを符号化することと、
ビデオデータの第３のブロックの変換単位サイズが４×４よりも大きいことに起因して色残差予測を行うことによって４×４よりも大きい前記変換単位サイズを有するビデオデータの前記第３のブロックを符号化することと、を備える、方法。
【請求項１５】
コンピュータ可読記憶媒体であって、
実行されたときに、
再構成されたルマ残差値のブロック及び予測されたクロマ残差値のブロックを生成するためにビデオデータの第１のブロックを復号することと、ここにおいて、ビデオデータの前記第１のブロックは、４：２：０又は４：２：２クロマサブサンプリングフォーマットのうちの１つを有し、
前記再構成されたルマ残差値のサブセットを予測されたクロマ残差値の前記ブロックに関するルマ予測子として使用してビデオデータの前記第１のブロックに関するクロマ残差値のブロックを再構成するために色残差予測プロセスを実施することと、
ビデオデータの第２のブロックに関する変換単位サイズを決定することと、
ビデオデータの前記第２のブロックに関する決定された前記変換単位サイズが４×４以下であるときはビデオデータの前記第２のブロックに関する色残差予測を行わずにビデオデータの前記第２のブロックを復号することと、
ビデオデータの第３のブロックに関する変換単位サイズを決定することと、
ビデオデータの前記第３のブロックに関する前記決定された変換単位サイズが４×４よりも大きいときはビデオデータの前記第３のブロックに関する色残差予測を行うことによってビデオデータの前記第３のブロックを復号することとを、
ビデオデータを復号するように構成された機器の１つ以上のプロセッサに行わせる命令を格納する、コンピュータ可読記憶媒体。